(57)【要約】【課題】  従来の支持部一体型カードは、カードの裏面にスクラッチ隠蔽層が施されており、スクラッチ隠蔽層が露出している。そのため支持部一体型カードの搬送時あるいは店頭販売時にスクラッチ隠蔽層が擦れて傷が生じたり、剥がれることによってスクラッチ隠蔽層の下面にある個別認識情報が可視化したりしてしまうという課題がある。【解決手段】  本発明は、台紙に添付されたカードにおいて、切り離すことでカードとなるカード部と、前記カード部を支持するカード支持部と、前記カード支持部を支える台紙とが同じ基材からなり、前記カード部は前記カード支持部に四辺を囲まれ、かつ、前記カード部と前記カード支持部とは、連接部を介して切り離し可能に連接され、前記カード支持部と前記台紙は折り線を介して二つ折り可能に連接されてなることを特徴とする台紙一体型カードにより上記の課題を解決した。【選択図】  図１
2014117816.tif 000002
【特許請求の範囲】
【請求項１】
台紙に添付されたカードにおいて、切り離すことでカードとなるカード部と、前記カード部を支持するカード支持部と、前記カード支持部を支える台紙とが同じ基材からなり、前記カード部は前記カード支持部に四辺を囲まれ、かつ、前記カード部と前記カード支持部とは、連接部を介して切り離し可能に連接され、前記カード支持部と前記台紙は折り線を介して二つ折り可能に連接されてなることを特徴とする台紙一体型カード。
【請求項２】
前記カード部と前記カード支持部とを連接する連接部は、前記カード部の少なくとも対向する一対の辺に設けられたミシン目状の連接部であることを特徴とする請求項１に記載する台紙一体型カード。
【請求項３】
前記カード部と前記カード支持部とを連接する連接部は、前記カード部の少なくとも対向する一対の辺に設けられた留め状の連接部であり、前記留め状の連接部に対応する一辺に前記留め状の連接部を少なくとも２個以上有することを特徴とする請求項１に記載する台紙一体型カード。
【請求項４】
前記留め状の連接部の縦横の長さが０．５ｍｍ〜１．０ｍｍの範囲であることを特徴とする請求項３に記載する台紙一体型カード。
【請求項５】
前記カード部の四コーナーが、角丸形状であることを特徴とする請求項１ないし請求項４のいずれか一項に記載する台紙一体型カード。
【請求項６】
前記カード支持部の四コーナーが、角丸形状であることを特徴とする請求項１ないし請求項５のいずれか一項に記載する台紙一体型カード。
【請求項７】
前記台紙の四コーナーが、角丸形状であることを特徴とする請求項１ないし請求項６のいずれか一項に記載する台紙一体型カード。
【請求項８】
前記カード支持部には、カード取り出し部が備わっていることを特徴とする請求項１ないし請求項７のいずれか一項に記載する台紙一体型カード。
【請求項９】
前記カード部には、コード情報およびスクラッチ隠蔽層が形成されていることを特徴とする請求項１ないし請求項８のいずれか一項に記載する台紙一体型カード。
【請求項１０】
前記コード情報が、一次元コードまたは二次元コードであることを特徴とする請求項９に記載する台紙一体型カード。
【請求項１１】
前記カード支持部の側面と前記台紙の面との間の少なくとも一部に接着部を設け、前記カード支持部を折り線を介して二つ折りして前記台紙と前記カード支持部とを接着するようにしたことを特徴とする請求項１ないし請求項１０のいずれか一項に記載する台紙一体型カード。
【請求項１２】
前記カード支持部と前記台紙を折り線を介して二つ折りしたときに、前記カード部の上の前記コード情報が設けられた位置に対向する前記台紙の少なくとも一部を切除して窓部を形成したことを特徴とする請求項１１に記載する台紙一体型カード。
【請求項１３】
前記カード部と前記カード支持部とを連接する前記連接部の連結部と非連結部との割合の範囲が、１．８〜３．３であることを特徴とする請求項１ないし請求項１２のいずれか一項に記載する台紙一体型カード。
【請求項１４】
前記カード支持部と前記台紙とを連接する前記連接部の前記連結部と前記非連結部との割合が、０．５：１．５であることを特徴とする請求項１３に記載する台紙一体型カード。
【請求項１５】
前記台紙一体型カードは、プラスチックシートまたは厚紙からなることを特徴とする請求項１ないし請求項１４のいずれか一項に記載する台紙一体型カード。
【発明の詳細な説明】
【技術分野】
【０００１】
本発明は、台紙とカードとが一体となった台紙一体型カードに関し、さらに詳しくはプラスチックシートまたは厚紙を基材とした台紙とカードとが一体となった台紙一体型カードに関するものである。
【背景技術】
【０００２】
近年、コンビニエンスストアやスーパーマーケット、家電量販店、百貨店、雑貨店で販売されているギフトカード、例えば、ｉＴｕｎｅｓカード（登録商標）、Ａｍａｚｏｎギフト券（登録商標）、任天堂カード（登録商標）、プレイステーションカード（登録商標）等のギフトカードあるいはプリペイドカード（単にカードと呼ぶ）は、カードを印刷された台紙に粘着剤で貼り付けたような構造になっており、目視可能なように店舗内に立てかけられたり、吊り下げられたりして販売されている。
【０００３】
特許文献１には、プラスチックシートを基材とした印刷物において、カードとカードを支持するカード支持体とが一部ミシン目を介して一体となった支持部一体型カードに関するものが開示されている。支持部一体型カードは、カードとカード支持部を同一基材としているため、連続した絵柄印刷ができるということ、製造工程の削減を実現できるということ、さらにカードとカード支持部を容易に切り離すことができるという特徴がある。
【０００４】
また、特許文献２には、携帯電話や国際電話向けの料金別納方式の電話カードに好適な台紙一体型カードに関するものが開示されている。カードには、秘匿情報表示部と秘匿情報表示部を隠蔽する隠蔽層が形成されている。
【先行技術文献】
【特許文献】
【０００５】
【特許文献１】特願２０１２−０６６９３４
【特許文献２】特許第４３０７９７７号公報
【発明の概要】
【発明が解決しようとする課題】
【０００６】
特許文献１に記載されている支持部一体型カードにおいては、カードの裏面にスクラッチ隠蔽層が施されており、スクラッチ隠蔽層が露出している。そのため支持部一体型カードの搬送時あるいは店頭販売時にスクラッチ隠蔽層が擦れて傷が生じたり、剥がれることによってスクラッチ隠蔽層の下面にある個別認識情報が可視化したりしてしまうという課題がある。  
【課題を解決するための手段】
【０００７】
そこで、本発明に係わる台紙一体型カードは、以下の各発明により上記課題を解決した。
なお、以下の各発明に付した括弧内の符号は、図面に付した符号と対応している。
【０００８】
本発明に係わる第１の発明は、台紙に添付されたカードにおいて、切り離すことでカード（３ａ）となるカード部（３）と、前記カード部（３）を支持するカード支持部（２）と、前記カード支持部（２）を支える台紙（１）とが同じ基材からなり、前記カード部（３）は前記カード支持部（２）に四辺を囲まれ、かつ、前記カード部（３）と前記カード支持部（２）とは、連接部（１１）を介して切り離し可能に連接され、前記カード支持部（２）と前記台紙（１）は折り線（Ｘ）を介して二つ折り可能に連接されてなることを特徴とする台紙一体型カードである。    
【０００９】
本発明に係わる第２の発明は、第１の発明において、前記カード部（３）と前記カード支持部（２）とを連接する連接部（１１）は、前記カード部（３）の少なくとも対向する一対の辺に設けられたミシン目状の連接部（１１）であることを特徴とする台紙一体型カードである。
【００１０】
本発明に係わる第３の発明は、第１の発明において、前記カード部（３）と前記カード支持部（２）とを連接する連接部（１１）は、前記カード部（３）の少なくとも対向する一対の辺に設けられた留め状の連接部（１３）であり、前記留め状の連接部（１３）に対応する一辺に前記留め状の連接部（１３）を少なくとも２個以上有することを特徴とする台紙一体型カードである。
【００１１】
本発明に係わる第４の発明は、第３の発明において、前記留め状の連接部（１３）の縦横の長さが０．５ｍｍ〜１．０ｍｍの範囲であることを特徴とする台紙一体型カードである。
【００１２】
本発明に係わる第５の発明は、第１の発明から第４の発明のいずれか１つの発明において、前記カード部（３）の四コーナーが、角丸形状であることを特徴とする台紙一体型カードである。
【００１３】
本発明に係わる第６の発明は、第１の発明から第５の発明のいずれか１つの発明において、前記カード支持部（２）の四コーナーが、角丸形状であることを特徴とする台紙一体型カードである。
【００１４】
本発明に係わる第７の発明は、第１の発明から第６の発明のいずれか１つの発明において、前記台紙（１）の四コーナーが、角丸形状であることを特徴とする台紙一体型カードである。
【００１５】
本発明に係わる第８の発明は、第１の発明から第７の発明のいずれか１つの発明において、前記カード支持部（２）には、カード取り出し部（１２）が備わっていることを特徴とする台紙一体型カードである。
【００１６】
本発明に係わる第９の発明は、第１の発明から第８の発明のいずれか１つの発明において、前記カード部（３）には、コード情報（６）およびスクラッチ隠蔽層（７）が形成されていることを特徴とする台紙一体型カードである。
【００１７】
本発明に係わる第１０の発明は、第９の発明において、前記コード情報（６）が、一次元コードまたは二次元コードであることを特徴とする台紙一体型カードである。
【００１８】
本発明に係わる第１１の発明は、第１の発明から第１０の発明のいずれか１つの発明において、前記カード支持部（２）の側面と前記台紙（１）の面との間の少なくとも一部に接着部（４）を設け、前記カード支持部（２）を折り線（Ｘ）を介して二つ折りして前記台紙（１）と前記カード支持部（２）とを接着するようにしたことを特徴とする台紙一体型カードである。
【００１９】
本発明に係わる第１２の発明は、第１１の発明において、前記カード支持部（２）と前記台紙（１）を折り線（Ｘ）を介して二つ折りしたときに、前記カード部（３）の上の前記コード情報（６）が設けられた位置に対向する前記台紙（１）の少なくとも一部を切除して窓部（５）を形成したことを特徴とする台紙一体型カードである。
【００２０】
本発明に係わる第１３の発明は、第１の発明から第１２の発明のいずれか１つの発明において、前記カード部（３）と前記カード支持部（２）とを連接する前記連接部（１１）の連結部（９）と非連結部（１０）との割合の範囲が、１．８〜３．３であることを特徴とする台紙一体型カードである。
【００２１】
本発明に係わる第１４の発明は、第１３の発明の発明において、前記カード支持部（２）と前記台紙（１）とを連接する前記連接部の前記連結部と前記非連結部との割合が、０．５：１．５であることを特徴とする台紙一体型カードである。
【００２２】
本発明に係わる第１５の発明は、第１の発明から第１４の発明のいずれか１つの発明において、プラスチックシートまたは厚紙からなることを特徴とする台紙一体型カードである。
【発明の効果】
【００２３】
カードと台紙とを一体とした台紙一体型カードとすることで、カードと台紙を同時に製造することが可能であり、カードと台紙を別々に製造したときに生ずるカードと台紙との整合性を確認する必要がないという効果がある。さらにスクラッチ隠蔽層がカードと台紙を貼り合わせる側のカード面に設けられているため、外からは隠れた構造を呈している。そのため製品の運搬時や、店舗に販売しているときに擦れてスクラッチ隠蔽層の下面に印刷されている個別認識情報等が露見してしまう懸念がなくなるという効果もある。
【図面の簡単な説明】
【００２４】
【図１】本発明に係わる台紙一体型カードにおける折り線で折り曲げるカード支持部と          台紙の平面図である。
【図２】本発明に係わる台紙一体型カードにおいてカード部を取り出した状態の平面図である。
【図３】本発明に係わる台紙一体型カードにおけるカード取り出し部を有するカードの平面図である。
【図４】本発明に係わる台紙一体型カードにおけるミシン目状の連接部を有するカードの平面図である。
【図５】本発明に係わる台紙一体型カードにおける対向する二辺にミシン目状の連接部を有するカードの平面図である。
【図６】本発明に係わる台紙一体型カードにおける留め状の連接部を有するカードの平面図である。
【発明を実施するための形態】
【００２５】
次に、本発明の実施形態について、図面を参照して詳述する。
【００２６】
図１は、本発明に係わる台紙一体型カードにおける折り線で折り曲げるカード支持部と
台紙の平面図である。図１において、１は台紙、２はカード支持部、３はカード部、３ａはカード支持部２からカード部３を取り出した状態のカード、４は接着部、５は窓部、６はコード情報、７はスクラッチ隠蔽層、８は引っかけ部、９は連結部、１０は非連結部、１１は連接部、Ｘは折り線である。
【００２７】
図１では、台紙１とカード支持部２およびカード部３は同一基材を用いた。材料としてはポリエチレンテレフタレート（ＰＥＴ）、ポリ塩化ビニル（ＰＶＣ）、非結晶性ポリエチレンテレフタレート（ＰＥＴ−Ｇ）等のプラスチックシートあるいは厚紙（上質紙、合成紙、ラミネート加工した紙等）が好適であるが、これらの材料に限定されるものではない。
【００２８】
基材としては、厚さ０．１８ｍｍ〜０．３８ｍｍのプラスチックシートを使用することができ、また厚さ０．２ｍｍ〜０．４ｍｍの厚紙を使用できる。
【００２９】
上記の基材を用いて全面に絵柄印刷を施し、台紙１とカード支持部２を設計図に合わせて抜き加工する。カード部３とカード支持部２の抜き加工は、ピナクル刃またはビク刃を使用して形成する。
【００３０】
カード部３は長方形でコーナーが丸みを帯びた形状が一般的であり、サイズも数種類あるが、代表的なサイズは、長辺の長さが８５．６ｍｍで短辺の長さが５４．０ｍｍで、角丸形状のコーナーのＲは３．０ｍｍである。
【００３１】
カード部３は四辺から形成されるが、カード部３の少なくとも対向する一対の辺の一部を連結部９（アンカット部）と非連結部１０（カット部）とに連接刃で打ち抜き加工してミシン目状に形成する。ミシン目状の連接部１１は、必ずしもこの形態でなくてもよく抜き加工されていないハーフカット状の連接部１１（図示せず）でもよい。
【００３２】
本発明において、連接とは、基材を打ち抜き刃で打ち抜いたカード部３とカード支持部２との境界領域を意味するもので、連接部１１とは、連結部９（アンカット部）と非連結部１０（カット部）が連続的に形成された境界領域を意味する。  
【００３３】
台紙１の形状は、長辺の長さが１３５．０ｍｍで短辺の長さが１０５．０ｍｍで角丸形状のコーナーのＲは３．０ｍｍである。店頭販売するために棚に引っかける引っかけ部８は直径８．０ｍｍの円形に開口されている。
【００３４】
カード部３には金額等の情報が記録されたコード情報６をオフセット印刷機等で形成する。コード情報６としては、一次元コードと二次元コードがあり、一次元コードの場合バーコードを用いている。
【００３５】
バーコードとは、通常、線の太さ，間隔、色別等により数字符号をバーの組み合わせによりパターン化したものであり、これを管理対象符号とするものである。
【００３６】
二次元コードの場合ＱＲコード（登録商標）を用いている。二次元コードは、バーコードを積み上げて構成するスタック型二次元コードや、マトリクス型二次元コードがある。二次元コードは、バーコード等に比べて省スペースで大容量の情報（例えば漢字ならば約１８００文字）を格納することができる。また、どの方向からも読み取りができる。さらに、一部の汚れや破損があっても、誤り訂正をしつつ復元するので誤読率が低いという利点がある。
【００３７】
カード部３にスクラッチ隠蔽層７をシルク印刷機等で形成する。スクラッチ隠蔽層７は、カード３ａを使用する際に必要な個別認識情報等（図示せず）の上に印刷される層である。スクラッチ隠蔽層７は、コインや爪等で引っ掻くことにより剥離可能な材料であれば、どのような材料を用いてもよい。
【００３８】
スクラッチ隠蔽層７は、個別認識情報等を隠蔽し、かつ、コインや爪等で擦る等により、比較的容易に削り取ることができる性質を備えた層であり、具体的には、隠蔽性の高い顔料が、比較的多量にバインダ樹脂中に分散したものであって、必要に応じて、着色の目的で、染料もしくは通常の顔料が配合されてあってもよい。
【００３９】
スクラッチ隠蔽層７を構成する隠蔽性の高い顔料としては、アルミニウム粉末、黄銅粉末、もしくは銅粉末等の金属系粉末、炭酸カルシウム、酸化亜鉛、アルミナ、二酸化チタン、シリカ、硫酸バリウム、タルク、カオリン、クレー、カーボンブラック、もしくは樹脂粉末等を使用することができる。
【００４０】
また、スクラッチ隠蔽層７を構成するバインダ樹脂としては、上記の隠蔽性の高い顔料を保持し、基材との接着性の良好なものを選択して用い、例えば、天然ゴム、もしくは塩酸ゴム等のゴム系天然樹脂、ポリブタジエン、スチレン−ブタジエン共重合体、アクリロ二トリル−ブタジエン共重合体、ポリイソプレン、ポリクロロプレン、アクリル、塩化ビニル、もしくは塩化ビニル−酢酸ビニル共重合体等を使用する。
【００４１】
スクラッチ隠蔽層７が個別認識情報等を隠蔽するには、上記した隠蔽性の高い顔料、バインダ樹脂、および溶剤等を用いて混合、分散して、スクラッチ隠蔽層形成用インキ組成物ないし塗料組成物としたものを用い、公知の印刷方法もしくは塗布方法により印刷もしくは塗布する。本発明においてはシルク印刷機を用いている。スクラッチ隠蔽層７の厚みとしては、３μｍ〜１０μｍであることが好ましい。
【００４２】
次に台紙１に店舗内の棚等に吊り下げるための引っかけ部８を形成する。図１では引っかけ部８の構造が丸い形状をしているが、引っかけることが可能であればこの形状に限定されるものではない。
【００４３】
次にカード部３のコード情報６が設けられた位置に対向する台紙１の少なくとも一部を切除して窓部５を形成する。図１では窓部５が四角形状をしているが、コード情報６を読取ることができればこの形状に限定されるものではない。
【００４４】
次に台紙１とカード支持部２との境界に折り曲げるためのミシン目状の折り線Ｘを形成するかもしくはハーフカットの折り線Ｘを形成する。
【００４５】
次にカード支持部２の側面に接着部４を設ける。接着部４に使用される接着剤は天然系接着剤（でんぷん等）が好ましいが、合成系接着剤（アクリル系接着剤、シアノアクリレート系接着剤、嫌気性接着剤、ポリ酢酸ビニル系接着剤、エチレン−酢酸ビニルコポリマー系接着剤、スチレン系ブロックコポリマー接着剤、ポリウレタン系接着剤等）でもよい。カード部３を除いたカード支持部２と台紙１とが接着可能で容易に剥離しないものであればどのようなものを用いてもよい。
【００４６】
次にカード支持部２と台紙１とを折り線Ｘを介して折り曲げて貼り合わせ、乾燥し、本発明に係わる台紙一体型カードとした。工程を上記のように順に説明したが、作業性を鑑みて工程を適宜変更してもよい。
【００４７】
図２は、本発明に係わる台紙一体型カードにおいてカード部を取り出した状態の平面図である。図２では、カード部３と連接するカード支持部２が台紙１と接着した状態から対向する１対の辺に設けられたミシン目状の連接部１１の連結部９と非連結部１０を切り離すトリガーとすることによってカード部３のみをカード支持部２から容易に取り出すことが可能となる。
【００４８】
図２において、カード部３に設けられたスクラッチ隠蔽層７は、カード部３の裏側に形成されているため、カード部３をカード支持部２から取り出したときに初めてスクラッチ隠蔽層７をスクラッチすることができる。
【００４９】
図３は、本発明に係わる台紙一体型カードにおけるカード取り出し部を有するカードの平面図である。図２で説明したようにミシン目状の連接部１１でカード部３を切り離すようにするが、図３ではカード取り出し部１２を設けることにより、カード取り出し部１２がトリガーとなり容易にカード部３を取り出すことが可能となる。
【００５０】
カード取り出し部１２は、図示されたような形状が好適であるが、取り出しやすいような形であればどのような形状でもよい。また、カード取り出し部１２はカード支持部２の四コーナーに適宜設ければよい。カード部３を取り出すには、指先をカード取り出し部１２に接触してカード部３を引きはがすようにしてカード支持部２から切り離す。
【００５１】
図４は、本発明に係わる台紙一体型カードにおけるミシン目状の連接部を有するカードの平面図である。すなわち図４は、カード部３における連接部１１を全部ミシン目状にした平面図でありカード部３を切り離すときにカード部３の四辺にバリ（余分な切れ端）が発生しにくくなる。
【００５２】
図５は、本発明に係わる台紙一体型カードにおける対向する二辺にミシン目状の連接部を有するカードの平面図である。図５では、カード部３を切り離すときのミシン目状の連接部１１が四辺にあるのでカード部３を切り離しやすくできる。
【００５３】
図６は、本発明に係わる台紙一体型カードにおける留め状の連接部を有するカードの平面図である。図６において、１３は留め状の連接部である。本発明における留め状の連接部１３は、通常四角形であることが好ましいがこの形状に限定されるものではない。
【実施例１】
【００５４】
台紙一体型の実施例について詳述する。
基材は、厚さ０．２５ｍｍあるいは厚さ０．１８８ｍｍのＰＥＴシートのロールを使用し、０．８ｍｍのピナクル刃もしくはビク刃を用いて設計図に従って抜き加工を行った。
【００５５】
次にカード部３の裏面にアンダーコート剤を形成した後、コード情報６を印刷するための表面処理加工としてコード情報受像層を塗布加工した。
【００５６】
次にオフセット印刷機でＰＥＴシートの両面に絵柄印刷を施した。
【００５７】
次にカード部３の裏面にコード情報６を印刷し、さらにオフセット印刷機を用いてコード情報印刷面に保護層を塗布した後、個別認識情報を印刷した。さらに印刷された個別認識情報の上にシルク印刷機でスクラッチ隠蔽層７を形成した。
【００５８】
次に台紙貼りに使用する接着剤を用いて接着部４に糊付けし、折り線Ｘで折り曲げ、カード支持部２と台紙１を貼り合わせた。
【００５９】
折り線Ｘの非連結部１０と連結部９との割合は、１．５ｍｍ：０．５ｍｍとした。
【００６０】
さらに、カード部３とカード支持部２との境界領域にあるミシン目状の非連結部１０と連結部９との割合を以下のようにしたがカード部３がカード支持部２から滑落することなく切り取り可能であった。
非連結部：連結部＝１．０ｍｍ：０．３ｍｍ  
【００６１】
ミシン目状の連接部１１の全長は７．０ｍｍ以上１．０ｃｍ以下とした。
【００６２】
図３に示されたようにカード取り出し部１２は、カード部３のコーナー領域の外側に径１３ｍｍの円形状の開口部を形成した。
【００６３】
図６に示されたように留め状の連接部１３は、縦横の長さを０．５ｍｍ〜１．０ｍｍにして、カード部３の一辺に数点設け、対向する二辺に形成した。
【実施例２】
【００６４】
基材は、厚さ０．２５ｍｍあるいは厚さ０．１８８ｍｍのＰＥＴシートのロールを使用し、０．８ｍｍのピナクル刃もしくはビク刃を用いて設計図に従って抜き加工を行った。
【００６５】
次にカード部３の裏面にアンダーコート剤を形成した後、コード情報６を印刷するための表面処理加工としてコード情報受像層を塗布加工した。
【００６６】
次にオフセット印刷機でＰＥＴシートの両面に絵柄印刷を施した。
【００６７】
次にカード部３の裏面にコード情報６を印刷し、さらにオフセット印刷機を用いてコード情報印刷面に保護層を塗布した後、個別認識情報を印刷した。さらに印刷された個別認識情報の上にシルク印刷機でスクラッチ隠蔽層７を形成した。
【００６８】
次に台紙貼りに使用する接着剤を用いて接着部４に糊付けし、折り線Ｘで折り曲げ、カード支持部２と台紙１を貼り合わせた。
【００６９】
折り線Ｘの非連結部１０と連結部９との割合は、１．５ｍｍ：０．５ｍｍとした。
【００７０】
さらに、カード部３とカード支持部２との境界領域にあるミシン目状の非連結部１０と連結部９との割合を以下のようにしたがカード部３がカード支持部２から滑落することなく切り取り可能であった。
非連結部：連結部＝１．８ｍｍ：１．０ｍｍ  
【００７１】
ミシン目状の連接部１１の全長は７．０ｍｍ以上１．０ｃｍ以下とした。
【００７２】
図３に示されたようにカード取り出し部１２は、カード部３のコーナー領域の外側に径１３ｍｍの円形状の開口部を形成した。
【００７３】
図６に示されたように留め状の連接部１３は、縦横の長さを０．５ｍｍ〜１．０ｍｍにして、カード部３の一辺に数点設け、対向する二辺に形成した。
【実施例３】
【００７４】
基材は、厚さ０．２５ｍｍあるいは厚さ０．１８８ｍｍのＰＥＴシートのロールを使用し、０．８ｍｍのピナクル刃もしくはビク刃を用いて設計図に従って抜き加工を行った。
【００７５】
次にカード部３の裏面にアンダーコート剤を形成した後、コード情報６を印刷するための表面処理加工としてコード情報受像層を塗布加工した。
【００７６】
次にオフセット印刷機でＰＥＴシートの両面に絵柄印刷を施した。
【００７７】
次にカード部３の裏面にコード情報６を印刷し、さらにオフセット印刷機を用いてコード情報印刷面に保護層を塗布した後、個別認識情報を印刷した。さらに印刷された個別認識情報の上にシルク印刷機でスクラッチ隠蔽層７を形成した。
【００７８】
次に台紙貼りに使用する接着剤を用いて接着部４に糊付けし、折り線Ｘで折り曲げ、カード支持部２と台紙１を貼り合わせた。
【００７９】
折り線Ｘの非連結部１０と連結部９との割合は、１．５ｍｍ：０．５ｍｍとした。
【００８０】
さらに、カード部３とカード支持部２との境界領域にあるミシン目状の非連結部１０と連結部９との割合を以下のようにしたがカード部３がカード支持部２から滑落することなく切り取り可能であった。
非連結部：連結部＝１．０ｍｍ：０．５ｍｍ  
【００８１】
ミシン目状の連接部１１の全長は７．０ｍｍ以上１．０ｃｍ以下とした。
【００８２】
図３に示されたようにカード取り出し部１２は、カード部３のコーナー領域の外側に径１３ｍｍの円形状の開口部を形成した。
【００８３】
図６に示されたように留め状の連接部１３は、縦横の長さを０．５ｍｍ〜１．０ｍｍにして、カード部３の一辺に数点設け、対向する二辺に形成した。
【実施例４】
【００８４】
基材は、厚さ０．２５ｍｍあるいは厚さ０．１８８ｍｍのＰＥＴシートのロールを使用し、０．８ｍｍのピナクル刃もしくはビク刃を用いて設計図に従って抜き加工を行った。
【００８５】
次にカード部３の裏面にアンダーコート剤を形成した後、コード情報６を印刷するための表面処理加工としてコード情報受像層を塗布加工した。
【００８６】
次にオフセット印刷機でＰＥＴシートの両面に絵柄印刷を施した。
【００８７】
次にカード部３の裏面にコード情報６を印刷し、さらにオフセット印刷機を用いてコード情報印刷面に保護層を塗布した後、個別認識情報を印刷した。さらに印刷された個別認識情報の上にシルク印刷機でスクラッチ隠蔽層７を形成した。
【００８８】
次に台紙貼りに使用する接着剤を用いて接着部４に糊付けし、折り線Ｘで折り曲げ、カード支持部２と台紙１を貼り合わせた。
【００８９】
折り線Ｘの非連結部１０と連結部９との割合は、１．５ｍｍ：０．５ｍｍとした。
【００９０】
さらに、カード部３とカード支持部２との境界領域にあるミシン目状の非連結部１０と連結部９との割合を以下のようにしたがカード部３がカード支持部２から滑落することなく切り取り可能であった。
非連結部：連結部＝１．５ｍｍ：０．７ｍｍ  
【００９１】
ミシン目状の連接部１１の全長は７．０ｍｍ以上１．０ｃｍ以下とした。
【００９２】
図３に示されたようにカード取り出し部１２は、カード部３のコーナー領域の外側に径１３ｍｍの円形状の開口部を形成した。
【００９３】
図６に示されたように留め状の連接部１３は、縦横の長さを０．５ｍｍ〜１．０ｍｍにして、カード部３の一辺に数点設け、対向する二辺に形成した。
【符号の説明】
【００９４】
１    台紙
２    カード支持部
３    カード部
３ａ  カード
４    接着部
５    窓部
６    コード情報
７    スクラッチ隠蔽層
８    引っかけ部
９    連結部（アンカット部）
１０    非連結部（カット部）
１１    連接部
１２    カード取り出し部
１３    留め状の連接部
【図１】
2014117816.tif 000003
【図２】
2014117816.tif 000004
【図３】
2014117816.tif 000005
【図４】
2014117816.tif 000006
【図５】
2014117816.tif 000007
【図６】
2014117816.tif 000008